(57)【要約】【課題】弾球遊技機の前側から故意に球抜き機構を作動させて球タンクのパチンコ球を勝手に排出させるというイタズラを防止し、また、前面のデザインを自由に表現できるようにしてそのデザイン性を高め、もって、商品価値を向上させることができる弾球遊技機を提供する。【解決手段】前枠２が設けられた遊技機本体Ｐ１の前側に、正面から見て前記遊技機本体Ｐ１と横幅がほぼ同じ寸法を有する透明板保持枠７を回動自在に装着し、前記前枠２の裏側には球タンク２４に貯留されるパチンコ球Ｂを球抜きするための球抜き機構２８を備えた弾球遊技機Ｐであって、前記前枠２の前記透明板保持枠７により覆われる位置に、前記球抜き機構２８を作動させるための球抜用操作孔４２を開設した。【選択図】  図４
2004313345.tif 000002
【特許請求の範囲】
【請求項１】
遊技機本体の前面に透明板保持枠を回動自在に装着し、前記遊技機本体の裏側には球タンクに貯留されるパチンコ球を球抜きするための球抜き機構を備えた弾球遊技機であって、前記遊技機本体の前面でありかつ前記透明板保持枠により覆われる位置に、前記球抜き機構を作動させるための球抜用操作孔を開設したことを特徴とする弾球遊技機。
【請求項２】
前枠を有する遊技機本体の前面に、正面から見て前記遊技機本体と横幅がほぼ同じ寸法を有する透明板保持枠を回動自在に装着し、前記前枠の裏側には球タンクに貯留されるパチンコ球を球抜きするための球抜き機構を備えた弾球遊技機であって、前記前枠の前面でありかつ前記透明板保持枠により覆われる位置に、前記球抜き機構を作動させるための球抜用操作孔を開設したことを特徴とする弾球遊技機。
【発明の詳細な説明】
【０００１】
【発明の属する技術分野】
本発明は、遊技機本体の前面であって透明板保持枠により覆われる位置に、球抜き機構を作動させるための球抜用操作孔を開設した弾球遊技機に関するものである。
【０００２】
【従来の技術】
従来、弾球遊技機の一種であるパチンコ機には、窓部を有した額縁状の前枠の一側を外枠に開閉可能に蝶着し、窓部にはガラス枠を開閉可能に軸支してなり、また、前記前枠前面の両側にそれぞれ装飾ユニットを配設すると共に一方の装飾ユニットには、前記前枠裏面に設けられた球抜き機構を作動させるためピンが挿通可能な小さな球抜き孔を設けたものがある（例えば、特許文献１参照。）。
【０００３】
【特許文献１】
実開平５−６３５８２号公報（第２頁、図４、図５）
【０００４】
【発明が解決しようとする課題】
しかしながら、特許文献１に係るパチンコ機にあっては、前記球抜き孔が前枠の前面一側であって遊技者が前側から見て触れる位置にあることから、例えば、遊技に負けた遊技者がその腹いせに前記球抜き孔に細いピンを挿通すると共に前枠裏側の球抜き機構を故意に作動させ、球タンクに貯留されるパチンコ球を勝手に排出させるといったイタズラをされる虞がある。また、前記のように装飾ユニットの前側から見える位置に球抜き孔を設けるようにすると、この部位のため装飾ユニットなど前面のデザインに制約が加わり、自由にデザイン化することができないばかりか、球抜き孔があることから反ってデザイン性に劣ることになり、商品価値を向上させるに一つの障壁になっているという課題がある。
【０００５】
そこで、本発明は上記課題を解決すべくなされたもので、弾球遊技機の前側から故意に球抜き機構を作動させて球タンクのパチンコ球を勝手に排出させるというイタズラを防止し、また、前面のデザインを自由に表現できるようにしてそのデザイン性を高め、もって、商品価値を向上させることができる弾球遊技機を提供することを目的とするものである。
【０００６】
【課題を解決するための手段】
かかる目的を達成するため、本発明の弾球遊技機は、遊技機本体の前面に透明板保持枠を回動自在に装着し、前記遊技機本体の裏側には球タンクに貯留されるパチンコ球を球抜きするための球抜き機構を備えた弾球遊技機であって、前記遊技機本体の前面でありかつ前記透明板保持枠により覆われる位置に、前記球抜き機構を作動させるための球抜用操作孔を開設した構成からなる。
【０００７】
このように、本発明は、遊技機本体の前面に透明板保持枠を回動自在に装着し、遊技機本体の前面でありかつ透明板保持枠により覆われる位置に、球抜用操作孔を開設するようにしたので、球抜用操作孔が透明板保持枠により覆われる。これにより、弾球遊技機の前側から球抜用操作孔に細いピンを挿通して球タンクのパチンコ球を勝手に排出させてしまうといったイタズラが防止される。また、弾球遊技機の前面に球抜用操作孔が現れないことから、その前面のデザインを自由に表現できることとなりデザイン性が高められ、商品価値を向上させることができる。更に、従来は前記イタズラの観点から球抜用操作孔の内径を小さくしなければならず、このため、球抜用操作孔に操作ピンが挿通しにくく球抜き機構を作動しづらかったが、透明板保持枠により球抜用操作孔が覆われることから、その点を考慮する必要がなく、球抜き機構を作動し易いように例えば球抜用操作孔の内径を操作ピンの外径に比べ比較的大きくすることができる。
【０００８】
本発明では、透明板保持枠が、正面から見て遊技機本体よりその横幅が小さいか、または前記遊技機本体と横幅がほぼ同じ寸法を有する弾球遊技機のいずれについても適用可能であり、また、球抜用操作孔は前枠または遊技盤の前面に開設されることになる。
【０００９】
そこで、例えば、前枠を有する遊技機本体の前面に、正面から見て前記遊技機本体と横幅がほぼ同じ寸法を有する透明板保持枠を回動自在に装着し、前記前枠の裏側には球タンクに貯留されるパチンコ球を球抜きするための球抜き機構を備えた弾球遊技機にあっては、前記前枠の前記透明板保持枠により覆われる位置に、前記球抜き機構を作動させるための球抜用操作孔が開設される。
【００１０】
【発明の実施の形態】
以下、本発明に係る弾球遊技機の実施の形態を図面に基づき説明する。なお、弾球遊技機には、例えばパチンコ機、アレンジボール機または雀球遊技機が挙げられるが、本発明にあっては、その一例としてパチンコ機について説明する。図１は本発明が適用されるパチンコ機の正面図、図２は同透明板保持枠を開いた状態の斜視図である。図において、１はパチンコ機Ｐにおける木製の外枠であって、縦長方形枠状に成形されている。その前面に額縁状をなす合成樹脂製の前枠２がその一側上下部を前記外枠１の一側上下部に設けた軸支部３，３に軸支して回動自在に装着される。これにより、遊技機本体Ｐ１が構成される。また、前記前枠２の中央には窓口４が開設される。そして、前枠２の裏面に遊技盤５が配置固定され、その前面の遊技部５ａが前記窓口４に臨むようになっている。なお、前枠２は金属製であっても良い。
【００１１】
前記前枠２の前面に、遊技盤５の遊技部５ａを覆う２枚の透明板であるガラス板６を備えた透明板保持枠７が回動可能に装着される。この透明板保持枠７は、その横幅が、正面から見て遊技機本体Ｐ１とほぼ同じ寸法を有する。また、透明板保持枠７の下方には後記する発射レール２１の前側を覆う前板８が回動自在に装着され、更に、その下方に下部板９が装着されている。これら前板８及び下部板９は、いずれも透明板保持枠７とほぼ同じ横幅を有している。
【００１２】
前記前板８の前面に、貯留される弾球であるパチンコ球を発射レール２１の発射部２１ａに供給するための打球供給皿１０が装着されている。また、下部板９の前面には、前記打球供給皿１０から溢れるパチンコ球を貯留する余剰球受皿１１が装着されている。１２は下部板９の前面一側に設けられ、打ち出されるパチンコ球の打球力の強弱を調節する操作ハンドルである。外枠１前面の最下端部、すなわち下部板９の下方には、外枠１と一体をなす飾り板１ａが設けられている。
【００１３】
前記遊技盤５の前面には、遊技部５ａを囲うように内側ガイドレール１３ａと外側ガイドレール１３ｂとが渦巻き状に配設される。前記遊技部５ａには、例えば、ほぼ中央に表示部１４ａを備えた可変表示装置１４が配置され、また、その下方にパチンコ球の入賞により前記表示部１４ａの文字、数字、図形等の表示を変動表示させる始動入賞口１５が配置される。更に、その下方に位置して前記変動した表示が一定の時間経過後に停止して特定の表示（例えば「７７７」）を示し、遊技者にとって有利な特別遊技状態になったとき、一定の条件の下で開閉扉１６を所定回数開成させ一度に多くの入賞球が得られる入賞装置１７が配置され、その両側に一般入賞口１８，１８が配設されている。
【００１４】
前記遊技盤５より下側の前枠２の前面中央に樋状部１９が配置され、その上端にファール球排出口２０が設けられている。また、遊技盤５より下側の前記前枠２の前面一側には、ファール球排出口２０を介して外側ガイドレール１３ｂと連なる発射レール２１が配置され、その発射部２１ａに前記操作ハンドル１２と連動する打球槌２２の先端部が臨むようになっている。なお、前記ファール球排出口２０は余剰球受皿１１に連通しており、発射されるも遊技部５ａに打ち込まれずに戻りこのファール球排出口２０に落下したファール球を余剰球受皿１１に導くようにしている。
【００１５】
遊技機本体Ｐ１の裏側には、図３、図４に示すように前枠２の裏面に合成樹脂製の機構板２３が装着されている。この機構板２３の上部にパチンコ球を貯留する玉タンク２４が配置され、その下方に球タンク２４から排出されるパチンコ球を誘導する球誘導樋２５が配設される。また、その下流側にカーブレール２６を介して球払出装置２７が装着されている。そこで、入賞球の発生があったとき、この球払出装置２７から払い出されたパチンコ球は、前記打球供給皿１０に誘導されるようになっている。
【００１６】
前記カーブレール２６の上方に、必要時に前記球タンク２４のパチンコ球を球抜きするための球抜き機構２８が装着される。次に、この球抜き機構２８について説明する。図３、図４に示すように機構板２３の裏面に後方へ突出する支軸２９が設けられ、この支軸２９に前後両端面が開放される軸筒部３０を嵌合させて縦長状の開閉部材３１が装着される。前記支軸２９には、軸筒部３０の抜け止め用の螺子３２が螺締される。そして、前記開閉部材３１は、支軸２９を中心とし機構板２３の裏面に沿って自在に揺動するようになっている。開閉部材３１の軸筒部３０より下方に前記カーブレール２６外側の開口２６ａを塞ぐようにして弧状の覆い片３３が一体に設けられている。一方、開閉部材３１の軸筒部３０より上方であって上端部には、後方へ突出する係合ピン３４が設けられている。
【００１７】
前記開閉部材３１の上方に、該開閉部材３１を作動させる動作部材３５が配置される。この動作部材３５は、ほぼ中央に左右両側へ突出して設けられる軸３６を機構板２３の前面に固着された平面門型の支持枠３７に軸支して水平に支持され、機構板２３面に対しほぼ直交し鉛直面内で自在に揺動するようになっている。また、動作部材３５は、前記軸部を基点として後方と下方へそれぞれ延設される可動板３８ａと押圧板３８ｂとにより側面逆Ｌ字状に成形される。可動板３８ａの後端部は機構板２３に開設された透孔３９を介して後方へ突出しており、この後端部に前記係合ピン３４とその一側で係合する係合片４０が設けられている。また、前記機構板２３と押圧板３８ｂとの間に圧縮コイルスプリング４１が介在され、動作部材３５を常に可動板３８ａの後端が下方へ揺動するように付勢している。
【００１８】
球抜き機構２８は上記構成からなり、通常は図３、図４実線に示すように、開閉部材３１がその自重でほぼ鉛直に位置し、可動板３８ａ後端の係合片４０が係合ピン３４の一側に係合し、開閉部材３１が図３鎖線に示すように反時計回り方向へは揺動し得ないようになっている。これにより、球誘導樋２５を流下するパチンコ球はカーブレール２６で覆い片３３に規制されながら下方へ流れて球払出装置２７に導かれる。
【００１９】
前記前枠２の軸支部側には、前記動作部材３５の押圧板３８ｂに対向位置して操作ピンＴを挿通できる球抜用操作孔４２が開設されている。この球抜用操作孔４２は、透明板保持枠７の横幅が正面から見て遊技機本体Ｐとほぼ同じ寸法に設定されていることから、透明板保持枠７に覆われ、通常は透明板保持枠７の前側から操作ピンＴを挿通することができないようになっている。また、球抜用操作孔４２は、透明板保持枠７の周縁の枠に対向し、前側から見ることができないように隠された位置に開設される。一方、透明板保持枠７に球抜用操作孔４２が設けられることはない。
【００２０】
前記球抜用操作孔４２の内径は操作ピンＴの外形に対して２〜３倍の大きさに設定される。また、図示は省略するが、前記球抜用操作孔４２が開設された前枠２の前面には、その球抜用操作孔４２の周囲に該球抜用操作孔４２を中心としかつ該球抜用操作孔４２の内径よりも大きい内径を有して漏斗状に窪ませた凹窪部を設けることが好ましい。これにより、操作ピンＴの先端を前記凹窪部の内周面に沿わせるのみで球抜用操作孔４２に誘導されることになり、球抜用操作孔４２への操作ピンＴの挿入がし易くなる。また、前記球抜き機構２８は機械的なもののほか電気的なものでも良く、この場合は、球抜用操作孔４２に対応させて操作ピンＴにより押動できるスイッチを設けるようにする。
【００２１】
そこで、例えば、パチンコホールでパチンコ機を新しいデザインのものと交換して入れ替えるとき、または、故障したときなどは、前記透明板保持枠７を開き前側から球抜用操作孔４２へ操作ピンＴを挿通して、図４鎖線に示すようにその先端部で押圧板３８ｂを圧縮コイルスプリング４１の付勢に抗して後方へ押動する。これにより、可動板３８ａの先端部が図４鎖線に示すように上方へ揺動して係合ピン３４と係合片４０との係合が解かれる。この状態では、開閉部材３１が支軸２９を中心として自由に揺動できるようになり、カーブレール２６を流下するパチンコ球Ｂの球圧により覆い片３３が図３鎖線に示すように外側へ押されて反時計回り方向へ揺動し、これに伴い前記パチンコ球Ｂが開口２６ａから外側へ流出する。これらパチンコ球Ｂは、前記球払出装置２７の一側に配設され前記開口２６ａと連通する球抜き樋４３に導かれる。この球抜き樋４３を流下するパチンコ球Ｂはパチンコ機Ｐの外に排出されることになる。
【００２２】
この際、開閉部材３１が図３鎖線位置にあるとき、前記操作ピンＴを球抜用操作孔４２から抜くと、圧縮コイルスプリング４１の付勢により可動板３８ａ後端部の係合片４０が係合ピン３４の他側に係合し、今度は、覆い片３３が開口２６ａを開放した状態を維持する。よって、球抜きしている間、操作ピンＴで押圧板３８ｂをずっと押えていなくても良い。そして、球抜きが完了したときは、もう一度、前記球抜用操作孔４２に操作ピンＴを挿通して押圧板３８ｂを押し、可動板３８ａの後端部を上方へ揺動して係合ピン３４との係合を解く。これにより、開閉部材３１がその自重により図３の実線位置に戻る。その後、操作ピンＴを抜いて可動板３８ａの後端部を下げ、再び係合片４０の一側で係合ピン３４を係合し、開閉部材３１を図３実線位置に保持させておく。
【００２３】
このように、透明板保持枠７で覆われる前枠２に球抜用操作孔４２が開設されているので、透明板保持枠７を閉じたときは、前記球抜用操作孔４２が透明板保持枠７に覆われることになり、パチンコ機Ｐの前側から前記球抜用操作孔４２に細いピンを故意に挿通することができなくなり、これにより、遊技に負けた遊技客がその腹いせに球タンク２４に貯留されるパチンコ球を勝手に排出するといったイタズラが防止される。
【００２４】
また、透明板保持枠７に球抜用操作孔４２が設けられてないことから、その前面のデザイン表現が球抜用操作孔４２によって制約を受けることがなく、デザインを自由に表現でき、デザイン性が高められる。
【００２５】
本実施の形態では、透明板保持枠７が正面から見て遊技機本体Ｐ１と横幅がほぼ同じ寸法を有するパチンコ機について説明したが、透明板保持枠７が正面から見て遊技機本体Ｐ１より横幅の小さい弾球遊技機についても本発明が適用できる。この場合は、球抜用操作孔が、透明板保持枠に覆われる位置であって、例えば前枠または遊技盤に開設されることになる。これにより、球抜用操作孔を介してのパチンコ球の勝手な排出といったイタズラが防止でき、また、前枠前面または透明板保持枠前面のデザインが自由に表現でき、デザイン性が高められる。
【００２６】
【発明の効果】
以上説明したように本発明は、遊技機本体の前面に透明板保持枠を回動自在に装着し、例えば前枠といった遊技機本体の前面でありかつ透明板保持枠により覆われる位置に球抜用操作孔を開設したので、常態では球抜用操作孔が透明板保持枠により覆われ、弾球遊技機の前側から球抜用操作孔に細いピンを挿通して球タンクのパチンコ球を勝手に排出させてしまうといったイタズラが防止されるという効果がある。また、透明板保持枠の前面に球抜用操作孔が現れないことから、デザイン性が高められ商品価値を向上させることができる。更に、前記のようなイタズラが防止されることから、球抜用操作孔の内径を操作ピンＴの外径に比べて大きくすることもでき、これにより操作がし易くなるという効果もある。
【図面の簡単な説明】
【図１】本発明が適用されるパチンコ機の正面図。
【図２】同透明板保持枠を開いた状態の斜視図。
【図３】パチンコ機の一部の裏面図。
【図４】同パチンコ機の一部の側面断面図。
【符号の説明】
２                  前枠
７                  透明板保持枠
２４                球タンク
２８                球抜き機構
４２                球抜用操作孔
Ｐ                  弾球遊技機（パチンコ機）
Ｐ１                遊技機本体
【図１】
2004313345.tif 000003
【図２】
2004313345.tif 000004
【図３】
2004313345.tif 000005
【図４】
2004313345.tif 000006